(57)【特許請求の範囲】
【請求項１】
複数の電子機器が格納され、前記複数の電子機器に対するアクセスを制御し、前記複数の電子機器が不正に取り出されないように前記複数の電子機器を固定する取出防止機構を備えた情報処理装置であって、
障害が発生した電子機器の固定に対して自動でなされる解除要求、および／または、任意の電子機器の固定に対して遠隔でなされる解除要求を受け付ける解除要求第一受付手段と、
当該情報処理装置に設けられ、前記解除要求第一受付手段が解除要求を受け付けた後に、前記複数の電子機器の固定に対する解除要求を個別に受け付ける複数の解除要求第二受付手段と、
前記解除要求第一受付手段によって受け付けられた解除要求と、前記解除要求第二受付手段によって受け付けられた解除要求とが、同一の電子機器の固定に対する解除要求であった場合に、前記取出防止機構による当該電子機器の固定を解除する固定解除手段と、
を備えたことを特徴とする情報処理装置。
【請求項２】
前記取出防止機構は、各電子機器に対し、第一固定手段と第二固定手段とが独立に固定動作を行う機構であって、
前記固定解除手段は、前記解除要求第一受付手段が解除要求を受け付けた場合に前記第一固定手段の固定を解除し、前記解除要求第二受付手段が解除要求を受け付けた場合に前記第二固定手段の固定を解除することを特徴とする請求項１に記載の情報処理装置。
【請求項３】
前記取出防止機構は、各電子機器に対し、単一の固定手段を有し、
前記固定解除手段は、前記解除要求第一受付手段によって受け付けられた解除要求と、前記解除要求第二受付手段によって受け付けられた解除要求とが、同一の電子機器に対する解除要求であった場合に、当該電子機器に対する固定手段の固定を解除することを特徴とする請求項１に記載の情報処理装置。
【請求項４】
前記複数の解除要求第二受付手段は、同一の鍵によって解除要求を受け付けることを特徴とする請求項１〜３のいずれか一つに記載の情報処理装置。
【請求項５】
前記固定解除手段によって固定が解除された電子機器を格納場所から外へ押し出す電子機器押出手段をさらに備えたことを特徴とする請求項１〜４のいずれか一つに記載の情報処理装置。
【発明の詳細な説明】
【技術分野】
【０００１】
この発明は、複数の電子機器が格納され、複数の電子機器に対するアクセスを制御し、複数の電子機器が不正に取り出されないように該複数の電子機器を固定する取出防止機構を備えた情報処理装置に関する。
【背景技術】
【０００２】
従来、複数の電子機器を固定する取出防止機構を備え、該複数の電子機器が不正に取り出されないように格納する情報処理装置がある。その代表例として、従来、ＲＡＩＤ（Redundant Arrays of Inexpensive Disks）の技術に基づいてデータを記憶するディスクアレイ装置がある。ＲＡＩＤとは、複数のハードディスクをまとめて１台のハードディスクとして管理する技術である。したがって、ディスクアレイ装置は、複数のハードディスクを格納する。
【０００３】
図８を用いてディスクアレイ装置にハードディスクを格納する具体的な手法を説明する。図８は、ディスクアレイ装置の筐体のうちハードディスクの格納場所となる格納部並びにハードディスクを収納する収納ケースの斜視図である。同図に示すように、格納部１００には、収納ケースを差し込む場所であるスロット１２０が複数設けられ、ハードディスクは、収納ケース１１０に収納されてスロットに格納される。ディスクアレイ装置は、このように格納されたハードディスクに対する読み書きを制御する。
【０００４】
また、ディスクアレイ装置は、ハードディスクに対してデータの読み書きを行う最中に、当該ハードディスクを取り出されることによる障害を防ぐ、あるいは、第三者によるハードディスクの盗難を防ぐ必要がある。そのため、ディスクアレイ装置は、格納されたハードディスクの不正な取り出しを防止する取出防止機構を設ける。
【０００５】
この取出防止機構について図９を用いて具体的に説明する。図９は、図８に示した格納部１００の正面図である。同図に示すように、ディスクアレイ装置は、スロットごとに部品１３０を設け、部品１３０の位置に対する制御が可能である。そして、ディスクアレイ装置は、部品１３０を所定の位置で静止させることによって、収納ケース１１０のスロット外方向への動きを妨害する。具体的には、かかる動きがあると、部品１３０と収納ケース１１０の所定部分とがぶつかる。その結果、ディスクアレイ装置は、収納ケース１１０を引き抜かれることはなく、ハードディスクを取り出されることもない。このように、ディスクアレイ装置は、取出防止機構によって、ハードディスクを不正に取り出されないようにハードディスクを固定する。
【０００６】
ところで、一部の取出防止機構には、ハードディスクの固定を一括で解除するものもある。この取出防止機構について図１０を用いて説明する。図１０は、ハードディスクの固定を一括で解除可能な取出防止機構を説明するための図である。同図（Ａ）に示すように、図９で登場した部品１３０のほか、スロットごとに設けられた部品全てが板１４０に固定される。取出防止機構がこのような構成であれば、板１４０が矢印方向にスライドすると、同図（Ｂ）に示すように、その動きに合わせて全ての部品も動く。したがって、ディスクアレイ装置は、全ての部品１３０の位置に対する制御が同時に可能となり、その結果、ハードディスクの固定が一括で解除される。
【０００７】
ところが、上記した取出防止機構では、取り出すべきハードディスクのほか、全てのハードディスクが取り出せる状態となってしまう。そのため、データの読み書きが行われている最中のハードディスクが誤って取り出されてしまい、ディスクアレイ装置に障害が発生するという事態が起こっていた。
【０００８】
そこで、例えば特許文献１では、ハードディスクに対して個別に制御回路を設置し、当該制御回路によってハードディスクの故障を検知すると、故障したハードディスクの固定を解除するという技術が開示されている。
【０００９】
【特許文献１】特開平７−２１９７１５号公報
【発明の開示】
【発明が解決しようとする課題】
【００１０】
ところで、ディスクアレイ装置は、場合によっては保守者の常駐場所から離れた場所に設置されることがある。このような場合、保守者が所定のハードディスクに対する保守の必要性を判断してから実際に現場へ訪れるまでに時間がかかってしまう。
【００１１】
上記した環境において特許文献１で開示された技術を用いると、例えば、ハードディスクの固定の解除が通知され、保守者が保守の必要性を判断してから実際に現場へ訪れるまでに、第三者にハードディスクを持ち出されてしまう可能性がある。また、例えば、保守者が実際に現場へ訪れるまでに、別のハードディスクの固定が解除され、それを知らない保守者が交換対象のハードディスクではなく、誤って当該別のハードディスクに対して交換作業をしてしまう可能性がある。
【００１２】
このように、ディスクアレイ装置が保守者の常駐場所から離れた場所に設置される場合には、保守者が所定のハードディスクに対する保守の必要性を判断してから実際に現場へ訪れるまでの時間にリスクがあるという課題があった。
【００１３】
上記したディスクアレイ装置に係る課題を含め、複数の電子機器を固定する取出防止機構を備えた従来の情報処理装置には、より高い安全性が求められていた。
【００１４】
そこで、この発明は、上述した従来技術の課題を解決するためになされたものであり、より高い安全性を有するディスクアレイ装置を提供することを目的とする。
【課題を解決するための手段】
【００１５】
上述した課題を解決し、目的を達成するため、この装置は、複数の電子機器が格納され、前記複数の電子機器に対するアクセスを制御し、前記複数の電子機器が不正に取り出されないように前記複数の電子機器を固定する取出防止機構を備えた情報処理装置であって、障害が発生した電子機器の固定に対して自動でなされる解除要求、および／または、任意の電子機器の固定に対して遠隔でなされる解除要求を受け付ける解除要求第一受付手段と、当該情報処理装置に設けられ、解除要求第一受付手段が解除要求を受け付けた後に、前記複数の電子機器の固定に対する解除要求を個別に受け付ける複数の解除要求第二受付手段と、前記解除要求第一受付手段によって受け付けられた解除要求と、前記解除要求第二受付手段によって受け付けられた解除要求とが、同一の電子機器の固定に対する解除要求であった場合に、前記取出防止機構による当該電子機器の固定を解除する固定解除手段と、を備えたことを要件とする。
【発明の効果】
【００１６】
開示の装置において電子機器を取り出すには、解除要求第一受付手段が解除要求を受け付けることに加え、解除要求第一受付手段が解除要求を受け付けた後に、情報処理装置自体に設けられた解除要求第二受付手段が解除要求を受け付けることが必要である。その結果、解除要求第二受付手段に対する操作に必要な鍵などを管理しておけば、遠方にディスクアレイ装置を設置しても電子機器が第三者に持ち出されるなどのリスクが軽減され、情報処理装置に対してより高い安全性を提供するという効果を奏する。
【発明を実施するための最良の形態】
【００１７】
以下に添付図面を参照して、本発明に係る情報処理装置の好適な実施例について詳細に説明する。
【実施例１】
【００１８】
まず、ディスクアレイ装置を本発明に係る情報処理装置の代表例とし、図１〜図３を用いて、実施例１に係るディスクアレイ装置の概要を説明する。なお、図１は、実施例１に係るディスクアレイ装置の構成を示す図であり、図２は、図８に示した格納部１００の正面図であり、図３は、実施例１に係るディスクアレイ装置の取出防止機構を説明するための図である。
【００１９】
図１に示すように、ディスクアレイ装置１０は、情報処理装置２０と通信可能に接続される。そして、ディスクアレイ装置１０は、情報処理装置２０から送信されたデータを複数のハードディスク４０ａ１〜４０ａｎに記憶したり、記憶したデータを情報処理装置２０の指示に基づいて読み込んだりする。複数のハードディスク４０ａ１〜４０ａｎについては、所定の格納場所（図１では点線で囲った部分）に格納され、ディスクアレイ装置１０は、複数のハードディスクそれぞれを区別するため、各ハードディスクに対して一意に識別可能な識別情報を割り当てる。なお、実施例１におけるハードディスクの格納手法についても、図８で具体的に説明したように、格納部と、収納ケースとを使用する格納手法とする。つまり、図２に示すように、ハードディスクは、収納ケース１５０に収納されて、収納ケース１５０ごとにスロット１６０に格納される。
【００２０】
また、ディスクアレイ装置１０は、ハードディスクが不正に取り出されないようにハードディスクを固定する取出防止機構を備える。この取出防止機構について具体的に説明すると、図２に示す引抜止め部１７０のように、ディスクアレイ装置１０は、所定部分を軸に回転させる制御が可能な部品をスロットごとに備える。そして、図３に示すように、ディスクアレイ装置１０は、引抜止め部１７０を制御し、実線で示す位置で静止させたり、点線で示す位置で静止させたりする。すると、引抜止め部１７０が実線で示す位置で静止する場合には、収納ケース１５０を紙面の奥から手前の方向に引っ張っても、引抜止め部１７０が収納ケース１５０の突起部分１８０とぶつかる。したがって、ディスクアレイ装置１０は、引抜止め部１７０を制御して点線の位置で静止させない限り、収納ケース１５０を引き抜かれないので、ハードディスクを不正に取り出されることはない。このように、ディスクアレイ装置１０は、引抜止め部１７０を有する取出防止機構によってハードディスク４０ａ１〜４０ａｎが不正に取り出されないようにハードディスクを固定する。
【００２１】
さらに、ディスクアレイ装置１０は、当該ディスクアレイ装置１０から離れた場所に設置された管理装置３０と通信可能に接続される。かかる管理装置３０は、例えば故障によって交換が必要となったハードディスクなど、任意のハードディスクの固定に対する解除要求を受け付け、ディスクアレイ装置１０に送信する。なお、解除要求にはハードディスクの識別情報が付与される。
【００２２】
以上が実施例１に係るディスクアレイ装置の概要である。次に、同じく図１を用いて、実施例１に係るディスクアレイ装置の構成を説明する。
【００２３】
図１に示すように、ディスクアレイ装置１０は、ハードディスク４０ａ１〜４０ａｎと、読み書き制御部５０と、引抜止め部１７０ａ１〜１７０ａｎと、解除要求第一受付部６０と、解除要求第二受付部７０ａ１〜７０ａｎと、固定解除部８０とを備える。
【００２４】
ハードディスク４０ａ１〜４０ａｎは、情報処理装置２０から送信されたデータを記憶する。
【００２５】
読み書き制御部５０は、情報処理装置２０がハードディスク４０ａ１〜４０ａｎに対して行う読み書きを制御する。また、読み書き制御部５０は、ハードディスク障害検知部５１を備え、当該ハードディスク障害検知部５１によってハードディスク４０ａ１〜４０ａｎにおける障害発生を検知する。そして、読み書き制御部５０は、ハードディスク４０ａ１〜４０ａｎのうちハードディスク４０ａｘに障害が発生すると、管理装置３０にその旨を通知したり、当該ハードディスク４０ａｘの固定に対する解除要求を解除要求第一受付部６０に出力したりする。なお、解除要求第一受付部６０に出力する解除要求にはハードディスク４０ａ１〜４０ａｎの識別情報が付与される。
【００２６】
引抜止め部１７０ａ１〜１７０ａｎは、各ハードディスク４０ａ１〜４０ａｎに対する単一の固定手段であり、後述する固定解除部８０によって制御される。なお、引抜止め部１７０ａ１〜１７０ａｎに対する具体的な説明は、ディスクアレイ装置の概要で行った説明と同様であるのでここでは省略する。
【００２７】
解除要求第一受付部６０は、障害が発生したハードディスク４０ａｘの固定に対して自動でなされる解除要求、および／または、任意のハードディスク４０ａｘの固定に対して遠隔でなされる解除要求を受け付ける。具体的には、解除要求第一受付部６０は、読み書き制御部５０や管理装置３０から出力された解除要求を受け取り、後述する固定解除部８０に出力する。
【００２８】
解除要求第二受付部７０ａ１〜７０ａｎは、当該ディスクアレイ装置１０に設けられ、複数のハードディスクの固定に対する解除要求を個別に受け付ける。例えば、図２に示す鍵穴１９０のように、解除要求第二受付部７０ａ１〜７０ａｎは、収納ケースごとに設けられ、専用の鍵（各解除要求第二受付部７０ａ１〜７０ａｎに対して個別の鍵）が差し込まれるものであってもよい。そして、解除要求第二受付部７０ａ１〜７０ａｎは、鍵を差し込まれると、ハードディスクの固定に対する解除要求として受け付け、後述する固定解除部８０に当該解除要求を出力する。なお、解除要求にはハードディスクの識別情報が付与される。
【００２９】
ところで、このように複数の解除要求第二受付部７０ａ１〜７０ａｎそれぞれが専用の鍵によって解除要求を受け付けるものとしたが、本発明はこれに限定されるものではない。例えば、解除要求第二受付部７０ａ１〜７０ａｎが同一の鍵（解除要求第二受付部７０ａ１〜７０ａｎ全てに対して共用の鍵）によって解除要求を受け付けるようにしてもよい。このようにすれば、解除要求第二受付部７０ａ１〜７０ａｎに対して個別の鍵が必要な場合と比較して、保守員の労力を軽減することが可能となる。
【００３０】
構成の説明に戻って、固定解除部８０は、解除要求第一受付部６０によって受け付けられた解除要求と、解除要求第二受付部７０ａ１〜７０ａｎによって受け付けられた解除要求とが、同一のハードディスクの固定に対する解除要求であった場合に、取出防止機構による当該ハードディスクの固定を解除する。
【００３１】
具体的には、固定解除部８０は、解除要求第一受付部６０および解除要求第二受付部７０ａ１〜７０ａｎから出力された解除要求を受け取ると、当該２つの解除要求に付与されたハードディスクの識別情報を比較する。
【００３２】
そして、固定解除部８０は、両者が一致する場合には、当該識別情報が割り当てられたハードディスクを固定する引抜止め部１７０ａｘを、収納ケースの突起部分とぶつからない位置まで動かして静止させる。このように引抜止め部１７０ａｘによる障害がなくなれば、保守者は、収納ケースの取っ手などをつかんで収納ケースをスロットから引き抜き、ハードディスクを取り出すことができる。
【００３３】
ところで、引抜止め部１７０ａ１〜１７０ａｎによる障害がなくなったと同時に収納ケースをスロット外に押し出すことで、収納ケースの取っ手構造を一切なくすようにしてもよい。図４は、図２に示したスロット１６０、並びに、スロット１６０内に格納された収納ケース１５０の側面図であるが、同図に示すように、スロット１６０の奥の壁に後押し部２００を設置し、スロット１６０内に挿入された収納ケース１５０後部と接触させる。この後押し部２００が、固定解除部８０によって固定が解除されたハードディスクを格納場所から外へ押し出す。図５は、後押し部を説明するための図であるが、同図に示すように、弾性体２１０などで構成され、弾性体２１０によって生じた反発力を収納ケース１５０後部に与えるようにしてもよい。その結果、引抜止め部１７０による障害がなくなれば、収納ケース１５０がスロット外に押し出される。このようにすれば、ハードディスクを取り出すための取っ手構造などを設ける手法と比較して、力任せにハードディスクを取り出される行為をなくし、ハードディスクを持ち出されるリスクを軽減することが可能となる。
【００３４】
次に、固定解除部８０の処理動作について図６のフローチャートを参照して説明する。同図に示した処理フローは、ディスクアレイ装置１０の作動中に繰り返し実行される処理である。
【００３５】
同図に示すように、固定解除部８０は、解除要求第一受付部６０から出力される解除要求の受け取りを待機する（ステップＳ１１０）。
【００３６】
そして、固定解除部８０は、解除要求第一受付部６０から解除要求を受け取ると（ステップＳ１１０肯定）、解除要求第二受付部７０ａ１〜７０ａｎから出力される解除要求の受け取りを待機する（ステップＳ１２０）。
【００３７】
そして、固定解除部８０は、解除要求第二受付部７０ａｘから解除要求を受け取ると（ステップＳ１２０肯定）、２つの解除要求それぞれに付与されたハードディスクの識別情報を比較する（ステップＳ１３０）。
【００３８】
そして、固定解除部８０は、比較の結果、両者が一致する場合には（ステップＳ１４０肯定）、引抜止め部を制御してハードディスクの固定を解除し（ステップＳ１５０）、処理を終了する。
【００３９】
［実施例１の効果］
上記したように、実施例１によれば、ディスクアレイ装置１０に格納されたハードディスクを取り出すには、解除要求第一受付部６０が解除要求を受け付けることに加え、ディスクアレイ装置１０自体に設けられた解除要求第二受付部７０ａ１〜７０ａｎが解除要求を受け付けることが必要である。その結果、解除要求第二受付部７０ａ１〜７０ａｎに対する操作に必要な鍵などを管理しておけば、遠方にディスクアレイ装置１０を設置してもハードディスクが第三者に持ち出されるなどのリスクが軽減され、ディスクアレイ装置１０に対してより高い安全性を提供することが可能となる。
【００４０】
また、実施例１によれば、一つの固定手段によってハードディスクを固定するので、ハードディスクを固定するために二つの固定手段を用いる手法と比較して、新たに固定手段を設置するのに必要なコストや労力を抑えることが可能となる。
【実施例２】
【００４１】
実施例１では、単一の固定手段（引抜止め部１７０）によって、ハードディスクが不正に取り出されないようにハードディスクを固定したが、実施例２では、二つの固定手段それぞれが独立にハードディスクを固定することによって、ハードディスクの不正な取り出しを防止するものとする。これは、ハードディスクを固定するために一つの固定手段を用いる手法と比較して、ハードディスクの取り出しをより厳重に防止し、第三者にハードディスクを持ち出されるリスクを軽減するためである。
【００４２】
図７は、実施例２を説明するための概念図である。同図（Ａ）に示すように、ディスクアレイ装置１０において、実施例１で登場した引抜止め部１７０と、当該引抜止め部１７０とは異なる第二引抜止め部２２０とが独立にハードディスク２３０を固定する。なお、第二引抜止め部２２０は、収納ケースのスロット外方向への動きを妨害するものであればよい。例えば、第二引抜止め部２２０は、引抜止め部１７０と同様、所定部分を軸に回転するものであり、スロット上部に設置される引抜止め部１７０（図４参照）に対してスロット下部に設置されるものであってもよい。また、ディスクアレイ装置１０は、第二引抜止め部２２０の位置に対する制御が可能である。
【００４３】
そして、固定解除部８０は、解除要求第一受付部６０が解除要求を受け付けた場合に引抜止め部１７０の固定を解除し、解除要求第二受付部７０ａ１〜７０ａｎが解除要求を受け付けた場合に第二引抜止め部２２０の固定を解除する。
【００４４】
具体的には、固定解除部８０は、解除要求第一受付部６０から解除要求を受け取ると、当該解除要求に付与された識別情報を読み取る。そして、図７（Ｂ）に示すように、固定解除部８０は、当該識別情報が割り当てられたハードディスク２３０を固定する引抜止め部１７０を制御し、引抜止め部１７０の固定を解除する。なお、このときハードディスク２３０に対する第二引抜止め部２２０の固定については依然として維持される。
【００４５】
そして、固定解除部８０は、解除要求第二受付部７０ａｘから解除要求を受け取ると、当該解除要求に付与された識別情報を読み取る。そして、図７（Ｃ）に示すように、固定解除部８０は、当該識別情報が割り当てられたハードディスク２３０を固定する第二引抜止め部２２０を制御し、第二引抜止め部２２０の固定を解除する。この時点で、ハードディスク２３０に対する引抜止め部１７０および第二引抜止め部２２０それぞれの固定が解除されるので、保守者は、当該ハードディスク２３０を収納する収納ケースの取っ手などをつかんで収納ケースをスロットから引き抜き、ハードディスク２３０を取り出すことができる。あるいは、図４で説明した後押し部２００によって、当該ハードディスク２３０を収納する収納ケースがスロット外に押し出され、ハードディスク２３０を取り出すことができる。
【００４６】
［実施例２の効果］
上記したように、実施例２によれば、ハードディスクを固定するために一つの固定手段を用いる手法と比較して、ハードディスクの取り出しをより厳重に防止し、第三者にハードディスクを持ち出されるリスクを軽減することが可能となる。
【００４７】
ここまで、実施例１および実施例２で複数のハードディスクを格納したディスクアレイ装置を説明してきたが、本発明はこれに限定されるものではなく、複数の着脱可能な電子機器を格納した情報処理装置であればいかなるものであってもよい。
【産業上の利用可能性】
【００４８】
以上のように、本発明に係る情報処理装置は、格納された複数の電子機器が不正に取り出されないように取出防止機構によって固定しつつ、複数の電子機器に対するアクセスを制御する場合に有用であり、より高い安全性を提供することに適する。
【図面の簡単な説明】
【００４９】
【図１】実施例１に係るディスクアレイ装置の構成を示す図である。
【図２】図８に示した格納部１００の正面図である。
【図３】実施例１に係るディスクアレイ装置の取出防止機構を説明するための図である。
【図４】図２に示したスロット１６０並びにスロット１６０内に格納された収納ケース１５０の側面図である。
【図５】後押し部を説明するための図である。
【図６】固定解除部の処理の流れを示すフローチャートである。
【図７】実施例２を説明するための概念図である。
【図８】ディスクアレイ装置の筐体のうちハードディスクの格納場所となる格納部並びにハードディスクを収納する収納ケースの斜視図である。
【図９】図８に示した格納部１００の正面図である。
【図１０】ハードディスクの固定を一括で解除可能な取出防止機構を説明するための図である。
【符号の説明】
【００５０】
１０  ディスクアレイ装置
２０  情報処理装置
３０  管理装置
４０ａ１〜４０ａｎ  ハードディスク
５０  読み書き制御部
５１  ハードディスク障害検知部
６０  解除要求第一受付部
７０ａ１〜７０ａｎ  解除要求第二受付部
８０  固定解除部
１００  格納部
１１０、１５０  収納ケース
１２０、１６０  スロット
１３０  部品
１４０  板
１７０、１７０ａ１〜１７０ａｎ  引抜止め部
１８０  突起部分
１９０  鍵穴
２００  後押し部
２１０  弾性体
２２０  第二引抜止め部
２３０  ハードディスク
【図１】
0004634431.tif 000002
【図２】
0004634431.tif 000003
【図３】
0004634431.tif 000004
【図４】
0004634431.tif 000005
【図５】
0004634431.tif 000006
【図６】
0004634431.tif 000007
【図７】
0004634431.tif 000008
【図８】
0004634431.tif 000009
【図９】
0004634431.tif 000010
【図１０】
0004634431.tif 000011